(57)【要約】【課題】  身体の整体部位に強い力を持続的に掛けつづけることができ、その整体部位を自在に選定し得るばかりでなく、その力の量と方向性を容易に調整し得る整体機を提供する。【解決手段】  位置決め可能な台車に立設した塔状フレームに、整体子付き揺動整体棒と、重り受けとを上下動可能に設け、揺動整体棒が高さ調整可能な支点昇降体に上下反転可能で且つ長手へスライド調整可能に支持させてあって、重りの重量で揺動整体棒の前端の整体子に下へ押す力が及ぶように構成した。【選択図】    図１
2005118414.tif 000002
【特許請求の範囲】
【請求項１】
位置決め可能な台車に立設した塔状フレームに、整体子付き揺動整体棒と、重り受けとを上下動可能に設け、揺動整体棒が高さ調整可能な支点昇降体に上下反転可能で且つ長手へスライド調整可能に支持させてあって、重りの重量で揺動整体棒の前端の整体子に下へ押す力が及ぶように構成したことを特徴とする整体機。
【請求項２】
位置決め可能な台車に、上端が反転する二股垂直レールを左右に間隔をおいて並列してなる塔状フレームを立設し、塔状フレームに、整体子付き揺動整体棒とその支点昇降体、並びに揺動整体棒に重りを掛けるための重り受けとを、左右両二股垂直レールの間をガイドとして上下動可能に設け、揺動整体棒が両二股垂直レールの間に挟まれて前後両端が突出して取り付けられ、それを支持する支点昇降体が両二股垂直レールの後端レール間に跨がって上下調整可能に保持され、その支点昇降体に揺動整体棒を上下反転可能で且つ長手へスライド調整可能に支持させ、重り受けをワイヤーで揺動整体棒に吊り下げることにより、重りの重量で整体子に下へ押す力が及ぶように構成したことを特徴とする整体機。
【請求項３】
整体ベットの回りに配設されるレールを備えてなり、台車にそのレールと係合する前後に長いレールガイド棒をスライド可能に設けてあることを特徴とする請求項１または２記載の整体機。
【発明の詳細な説明】
【技術分野】
【０００１】
この発明は、身体の背骨や頸椎、骨盤、頭蓋骨等の歪みやズレを矯正するために主に業務用として使用する整体機に関する。
【背景技術】
【０００２】
腰痛、肩凝り、内臓疾患、皮膚病等の全ての病気や疾患については、多くの場合、上記のような骨格構造の歪みが原因で引き起こされている。骨格構造と循環器系、内分泌系、呼吸器系等の他の臓器等との因果関係は、近代医学では学ぶことはないのに対して、東洋医学では長く研究してきた歴史があるために、それに属する整体によって、近代医学では治療が困難とされる難病が次々と解決される事例が顕著にそれを物語っている。この施術を整体術というが、施術者の知識や技術ばかりでなく、その根底としての哲学的な考え方が治療に大きく影響する。
【０００３】
整体術は、「人間の体を構造的に捉え、背骨や骨盤を中心とした骨格のズレを矯正することで万病を回復させることができる。」という考え方を基本とするもので、これによれば、１、２回の施術で矯正し治ることも珍しくないが、ズレや歪みがその人の生活習慣により、１０年、２０年かけて生じたために頑固であることがある。これは、身体のズレや歪みが細胞のレベルにまで影響を及ぼしているものと考えられる。
【０００４】
本出願人においては、このように全身の細胞の異常情報を解除するためにも、数十分の間連続して、治療すべき部位を矯正しなければならないという考えに至った。しかし、３kgから４kgの一定した力を加えて骨格矯正をし続けることはほとんど不可能である。プロでさえ１０秒から２０秒で限界がくる。
【０００５】
右にずれたものを左に矯正する必要があるのは誰にでも分かる。しかし、１０年、２０年もかけて歪み、ズレが生じている骨格を瞬間的に何度矯正しても効果が得られない。歪んだ状態に戻らないように、例えば、２kgから１２kgの一定した強い力を方向性と時間とで、その歪んだ背骨等に移植するようにかけ続けることによって、初めて本来の正常な機能が劇的に蘇ってくるのである。
【０００６】
整体は、指技、手技が基本であるが、人間の手によってある部位に力を加えるのは、瞬間的な技ならば、施術者の体力はあまり問題にならない。事実、ある部位を適切に押すことで、一瞬にして体が楽になることは可能である。しかし、難病や重篤な症状の場合、瞬間的な矯正をしても、症状の改善が一時だけしかなされず、すぐに元に戻ってしまう。これは、骨格の歪みによって細胞のレベルで構造の狂いが生じ、その狂いが人体の６０兆ものすべての細胞に影響を与えた結果だと考えられる。
【発明の開示】
【発明が解決しようとする課題】
【０００７】
この発明は、上記のような考え方に基づいて、身体の整体部位に強い力を持続的に掛けつづけることができ、その整体部位を自在に選定し得るばかりでなく、その力の量と方向性を容易に調整し得る整体機を提供することを課題とした。
【課題を解決するための手段】
【０００８】
上記の課題を解決するために、第１発明は、位置決め可能な台車に立設した塔状フレームに、整体子付き揺動整体棒と、重り受けとを上下動可能に設け、揺動整体棒が高さ調整可能な支点昇降体に上下反転可能で且つ長手へスライド調整可能に支持させてあって、重りの重量で揺動整体棒の前端の整体子に下へ押す力が及ぶように構成したことを特徴とする整体機を提供するものである。
【０００９】
また、第２発明は、位置決め可能な台車に、上端が反転する二股垂直レールを左右に間隔をおいて並列してなる塔状フレームを立設し、塔状フレームに、整体子付き揺動整体棒とその支点昇降体、並びに揺動整体棒に重りを掛けるための重り受けとを、左右両二股垂直レールの間をガイドとして上下動可能に設け、揺動整体棒が両二股垂直レールの間に挟まれて前後両端が突出して取り付けられ、それを支持する支点昇降体が両二股垂直レールの後端レール間に跨がって上下調整可能に保持され、その支点昇降体に揺動整体棒を上下反転可能で且つ長手へスライド調整可能に支持させ、重り受けをワイヤーで揺動整体棒に吊り下げることにより、重りの重量で整体子に下へ押す力が及ぶように構成したことを特徴とする整体機を提供する。
【００１０】
整体機を上記のように構成したから、これを使用するときには、患者の治療部位を整体子が適当な方向と力により押すように設定する。それには、まず台車を所定位置に位置決めする。整体ベットの回りにガイドレールが配列されていると（請求項３）、位置決めが容易である。また、構造的には、揺動整体棒の前端で整体子を用いるようにも、後端で用いるようにも可能であるが、次には、いずれの場合も、揺動整体棒を支持する支点昇降体の高さを調整してから、重り受けが吊り下がるように設定し、重り受けに適当な個数の重りを載せる。そうすると、ワイヤーが揺動整体棒を引き下げるので、その引く力で整体子を患者の所定部位に当てると、整体子が所定部位を調整された重りの重量の力で、所定方向へ持続的に押圧する状態が得られる。
【００１１】
なお、整体子で経絡のツボを押すことにより一般的な指圧にも使用できることはもちろん、ツボ指圧を補助的に用いることにより整体の効果を高めることもできる。
【発明の効果】
【００１２】
以上、説明したように、この発明の整体機によれば、重りの重量により身体の整体部位に強い力を持続的に掛けつづけることができ、整体子の取り付け位置に合わせながら支持体の高さ位置を調整して、揺動整体棒のスライド位置の調整を加えて、その整体部位を自在に選定できるばかりでなく、その力の量と方向性を容易に調整し得るため、生活習慣を原因とするしつこい骨格構造の歪みやズレを時間をかけながら容易に矯正できるという優れた効果がある。
【発明を実施するための最良の形態】
【００１３】
図面は、一実施の形態を示したもので、その整体機は、台車１に左右一対の二股垂直レール５ａ，５ａからなる塔状フレーム５を立設し、塔状フレーム５に、揺動整体棒７を支持する支点昇降体６と、重り受け９とが両二股垂直レール５ａ，５ａの間をガイドとして上下移動可能に保持され、支点昇降体６が昇降主体としてのガイドブロック６ａとそれに上下揺動可能に軸支されるスライド保持器６ｂとからなり、スライド保持器６ｂに揺動可能に支持される揺動整体棒７に重り受け９がワイヤー１１で吊り下げられる。
【００１４】
なお、主な部材には金属角パイプや金属板材が使用されるが、プラスチック材であっても良い。また、台車１を位置決めしやすくするために、台車１にレールガイド棒８が具備され、整体ベット３の回りに配設されるガイドレール２と係合するようにしてある。
【００１５】
台車１は、左右一対の角材１２，１２を前後でそれぞれ上下一対の板材１３，１４で連結した矩形の枠組み構造であって、その各四隅にキャスター１５，１５，・・を装着したもので、上下板材１３，１４の位置を前後に違えて角材１２，１２に溶接し、下の板材１４，１４に二股垂直レール５ａ，５ａの下端がビス４８で固着される。
【００１６】
また、レールガイド棒８は、上下板材１３，１４にその位置違いで上下に挟まれるとともに、左右では二股垂直レール５ａ，５ａの間にも挟まれるために（図３）、直進方向（Ｓ）にのみスライドするように台車１に保持されている。そして、レールガイド棒８の先端部には、ガイドレール２との係合部１６が一対の突部により溝形に形成される。したがって、その係合部１６の位置は、レールガイド棒８のスライドにより調整される。一端の上部板材１３には、そのスライド位置を固定するための押ネジ１９が螺入される。
【００１７】
こうして、ガイドレール２と係合され、ベッド３の回りに所定位置で固定されるように、係合部１６に遠い方の一対の後部キャスター１５，１５はロック式となっており、これとレール２との係合により位置決めが安定する。
【００１８】
塔状フレーム５については、その構成部材である左右一対の二股垂直レール５ａ，５ａが上端部で逆Ｕ字形に反転しそれより下方が平行となっているもので、そのため、上端部に手を掛け得て取り扱いやすい。この二股垂直レール５ａ，５ａの下端が台車１に固定されているが、両方の間隔を保持するために、上端部の前後両側に連結板１７，１７をネジ止めし、また、中間部にも連結板１８，１８をネジ止めするとともに、その両連結板１８，１８の間に中間部板２１を架設してネジで止めてある。揺動整体棒７が上端の連結板１７，１７とこの中間部板２１との間において上下するようにその間が開放され、中間部板２１には中央に揺動整体棒７から下がるワイヤー１１の通し穴２３が設けてある。
【００１９】
支点昇降体６は、後側で両二股垂直レール５ａ，５ａの間をガイドとして（Ｐ方向へ）昇降するガイドブロック６ａと、それに支点ピン２４で軸支されるスライド保持器６ｂとからなるもので、スライド保持器６ｂが揺動整体棒７の突き出る長さ（Ｒ方向へ）調整するとともに、それを揺動支持して重り１０で整体子３５に（Ｓ方向へ）加重が掛けられる。ガイドブロック６ａは、塔状フレーム５の後側面において左右二股垂直レール５ａ，５ａの両方に跨がって上下に案内されるように、その間に挟まれる係合部１６が突出する凸型であって、裏側において対向して設けられる雌ネジ板２０も同じく凸型であって、ハンドル付きの雄ネジ２２がガイドブロック６ａから雌ネジ板２０に螺入され、その締め付けによりガイドブロック６ａが固定されるようになっている。
【００２０】
スライド保持器６ｂは、上端でガイドブロック６ａを挟んで支点ピン２４で連結される揺動ブロック２６を基体とし、その高さ中間部に左右二股垂直レール５ａ，５ａの間に挟まれて中央部にまで延びるスライドレール２８をビス止めして取り付け、その先端に端面板３０を溶接し、スライドレール２８の下面に揺動整体棒７が摺動するように、揺動ブロック２６と端面板３０とにその通し孔３１，３２を設けてある。これで支点昇降体６に揺動整体棒７がスライド可能に支持されるが、前方への突出長を固定するために、揺動ブロック２６に下面からハンドル付きの押すネジ３４が螺入される。また、端面板３０には、ワイヤー１１の通し孔を設けてそれを掛け止めてある。
【００２１】
揺動整体棒７は、中空の四角材形であって、前端にプラスチックの整体子３５の取付ブロック３６が固着され、それに整体子３５がネジを介して垂設される。整体子３５は、円形盤形であって、その円周面で身体Ｆを押圧するように取り付けられる。なお、整体子３５の材質および形状は様々となり、取り付け方も上記に限定されるものではない。なお、揺動整体棒７の後端にはその端を封じるキャップ３７が嵌着される。
【００２２】
重り受け９は、両側から板状の重り１０を出し入れできるように、金属板により左右両開口の矩形の枠形に形成したものであるが、重り１０が脱落しないように、左右両側には、前後一対の短片４３，４３が起立して形成される。そして底板の両端４４，４４が両二股垂直レール５ａ，５ａの間に係合し、また、両側に両二股垂直レール５ａ，５ａの反転内面に跨がる上下一対の係合板４５，４５がビス止めされていることから、上下に（Ｑ方向へ）移動するように保持されている。また、上端部の中央にはワイヤー１１の吊り具４０を設けてある。吊り具４０は、ワイヤー１１を通す筒形であって、基端部の側面にワイヤー１１の引出口が開口されているので、ワイヤー１１の下端部をそこから引き出すことによって吊り長さの調整がなされるように、内部に引出しに応じる逃げ爪が内蔵され、その掛止を解く押しボタン４６が先端にはめ込まれている。
【００２３】
ガイドレール２は、整体ベット３の回りにＵ字形に配設された形状であって、支持脚５０を部分的に設けて床上に配置され、整体ベット３の脚５４にコ字形金具５２を介してネジ５６で締め付けて連結される。５８はレール２から突設される連結補助片である。
【図面の簡単な説明】
【００２４】
【図１】この発明の一実施形態を示す整体機の斜視図である。
【図２】同整体機の側面図である。
【図３】同整体機の背面図である。
【図４】同整体機に使用するガイドレールの平面図である。
【図５】同ガイドレールを整体ベットとの関係において示す正面図である。
【符号の説明】
【００２５】
１  台車
２  ガイドレール
３  整体ベット
５  塔状フレーム
５ａ  二股垂直レール
６  支点昇降体
７  揺動整体棒
８  レールガイド棒
９  重り受け
１０  重り
１１  ワイヤー
１６  係合部
３５  整体子
【図１】
2005118414.tif 000003
【図２】
2005118414.tif 000004
【図３】
2005118414.tif 000005
【図４】
2005118414.tif 000006
【図５】
2005118414.tif 000007